(57)【要約】      （修正有）【課題】シートの一部を利用してシートと一体に形成された機能片によって収納された書類等のインデックスを表示することができると共に、収納された書類等が滑り出ないように繋止することができるファイルを提供する。【解決手段】ファイルは、相互に対面配置された上で周縁の一部が封止されると共に残りが開放端とされる第一シート２及び第二シート３と、第一シートに形成された差込み部９と、第二シートに形成された第一の折れ目７とカット線５とによって囲まれて第二シートの一部として形成される差込み片４とを有し、差込み片には、第一の折れ目７よりも開放端から離れた位置に第二の折れ目６がさらに形成されている。【選択図】図１
0003199235.tif 000002
【実用新案登録請求の範囲】
【請求項１】
相互に対面配置された上で周縁の一部が封止されると共に残りが開放端とされる第一シート及び第二シートと、前記第一シートに形成された差込み部と、前記第二シートに形成された第一の折れ目とカット線とによって囲まれて前記第二シートの一部として形成されると共に前記第一の折れ目よりも前記開放端から離れた位置に第二の折れ目が形成された差込み片とを有し、前記第二シートの前記第一の折れ目と前記第二の折れ目との間の寸法が前記開放端と前記第一の折れ目との間の寸法よりも大きく、且つ、前記第二シートの前記差込み片が前記第一の折れ目と前記第二の折れ目とにおいて折り返された状態で当該差込み片の前記第二の折れ目と先端との間の少なくとも一部が差し込まれ得る位置，形状，及び寸法に前記第一シートの前記差込み部が形成されることを特徴とするファイル。
【請求項２】
前記第二シートの前記差込み片が前記第一シートの前記差込み部に差し込まれたときに当該差込み部に係止可能な係止片が前記差込み片に形成されることを特徴とする請求項１記載のファイル。
【請求項３】
前記第一シート及び前記第二シートが矩形であり、当該矩形を構成する四辺のうちの隣り合う二辺が封止されると共に他の二辺が前記開放端とされ、前記第一シートの前記差込み部が前記開放端の二辺のうちの一辺に平行なスリットとして形成されると共に前記第二シートの前記差込み片が前記開放端の二辺のうちの一辺と直交する方向を長手方向とする帯状に形成されることを特徴とする請求項１記載のファイル。
【請求項４】
前記第二シートの前記差込み片の形状に合わせて当該差込み片に印刷が施されることを特徴とする請求項１記載のファイル。
【考案の詳細な説明】
【技術分野】
【０００１】
本考案は、ファイルに関する。さらに詳述すると、本考案は、例えば書類等を挟み入れてこれら書類等を収納して持ち運んだり整理・保管したりする際に用いて好適なファイルに関する。
【背景技術】
【０００２】
書類等を挟み入れて使用する従来のファイルとして、例えば、メインシートの中間部の山折り線を挟んで第１保持部と第２保持部とが形成され、第２保持部の右部と第１保持部の左部と第２保持部の上部と第１保持部の上部とのうちのいずれか一つ以上の部分に折れ目を残して第１舌片を有するインデックス片の形状に第１切れ目が設けられており、当該第１切れ目に沿って切り取ると共に折れ目に沿って折ることでインデックス片が第１保持部または第２保持部から突出し、第１舌片は第１保持部と第２保持部とを折り重ねた際に第１保持部または第２保持部に係合可能であるものがある（特許文献１）。
【先行技術文献】
【特許文献】
【０００３】
【特許文献１】特開２０１０−０９４８６５号公報
【考案の概要】
【考案が解決しようとする課題】
【０００４】
しかしながら、特許文献１のファイルのインデックス片は、保管された状態において検索用に参照され得るように第１保持部または第２保持部から単に突出したり舌片が第１保持部または第２保持部に引っ掛かるように係止するのみであり、当該インデックス片が設けられた開放端を強固に繋止することによって第１保持部と第２保持部との間に挟み入れられて収納された書類等が滑り出てしまうことを確実に防止することはできない。このため、特許文献１のファイルは、書類等の特に持ち運びに用いられたときの利便性が高いとは言い難い。
【０００５】
そこで、本考案は、ファイルを構成するシートの一部を利用して当該シートと一体に形成された機能片により、収納された書類等を検索可能であるようにインデックスを表示することができ、且つ、収納された書類等が滑り出ないように確実に繋止することができるファイルを提供することを目的とする。
【課題を解決するための手段】
【０００６】
かかる目的を達成するため、本考案のファイルは、相互に対面配置された上で周縁の一部が封止されると共に残りが開放端とされる第一シート及び第二シートと、第一シートに形成された差込み部と、第二シートに形成された第一の折れ目とカット線とによって囲まれて第二シートの一部として形成されると共に第一の折れ目よりも開放端から離れた位置に第二の折れ目が形成された差込み片とを有し、第二シートの第一の折れ目と第二の折れ目との間の寸法が開放端と第一の折れ目との間の寸法よりも大きく、且つ、第二シートの差込み片が第一の折れ目と第二の折れ目とにおいて折り返された状態で当該差込み片の第二の折れ目と先端との間の少なくとも一部が差し込まれ得る位置，形状，及び寸法に第一シートの差込み部が形成されるようにしている。
【０００７】
したがって、このファイルによると、第二シートの第一の折れ目と第二の折れ目との間の寸法が開放端と第一の折れ目との間の寸法よりも大きいようにしているので、第一の折れ目と第二の折れ目とにおいて折り返された状態において差込み片の二つの折れ目の間の領域の一部が第一シート及び第二シートの開放端よりも外方に突出する。
【０００８】
このファイルによると、さらに、第二シートの差込み片が第一の折れ目と第二の折れ目とにおいて折り返された状態で当該差込み片の少なくとも一部が第一シートの差込み部に差し込まれ得る。
【０００９】
また、本考案のファイルは、第二シートの差込み片が第一シートの差込み部に差し込まれたときに当該差込み部に係止可能な係止片が前記差込み片に形成されるようにしても良く、この場合には、係止片が差込み部に係止することにより、差込み片が差込み部から不意に抜けてしまうことが防止される。
【００１０】
また、本考案のファイルは、第一シート及び第二シートが矩形であり、当該矩形を構成する四辺のうちの隣り合う二辺が封止されると共に他の二辺が開放端とされ、第一シートの差込み部が開放端の二辺のうちの一辺に平行なスリットとして形成されると共に第二シートの差込み片が前記開放端の二辺のうちの一辺と直交する方向を長手方向とする帯状に形成されるようにしても良く、この場合には、差込み部と差込み片との構造が簡単なものになる。
【００１１】
また、本考案のファイルは、第二シートの差込み片の形状に合わせて当該差込み片に印刷が施されるようにしても良く、この場合には、差込み片が種々の物・情景やキャラクタなどとして形成され得る。
【考案の効果】
【００１２】
本考案のファイルによれば、第一の折れ目と第二の折れ目とにおいて折り返された状態において差込み片の二つの折れ目の間の領域の一部を第一シート及び第二シートの開放端よりも外方に突出させることができるので、当該突出させた部分にインデックスを表示して書類等の特に整理・保管におけるファイル利用の利便性の向上を図ることが可能になる。
【００１３】
本考案のファイルによれば、また、第二シートの一部を利用してインデックス片を一体に形成する、言い換えると、第二シートに何かを追加したり第二シートの本来の形状から突出させたりすることなくインデックス片を形成するようにして省資源化を図ることが可能になり、延いてはインデックス片を備えたファイルの低コスト化を図ることが可能になる。
【００１４】
本考案のファイルによれば、さらに、第二シートの差込み片が第一の折れ目と第二の折れ目とにおいて折り返された状態で当該差込み片の少なくとも一部を第一シートの差込み部に差し込むことができるので、開放端において第一シートと第二シートとを強固に繋止してこれら二つのシートの間に挟み入れられて収納された書類等が滑り出てしまうことを確実に防止することが可能になり、延いては書類等の特に持ち運びにおけるファイル利用の利便性の向上を図ることが可能になる。
【００１５】
また、本考案のファイルは、差込み片に係止片が形成されるようにした場合には、差込み片が差込み部から不意に抜けてしまうことを防止することができるので、開放端において第一シートと第二シートとを一層強固に繋止してこれら二つのシートの間に挟み入れられて収納された書類等が滑り出てしまうことを一層確実に防止することが可能になり、延いては書類等の特に持ち運びにおけるファイル利用の利便性の更なる向上を図ることが可能になる。
【００１６】
また、本考案のファイルは、両シートが矩形であり且つ差込み部がスリットであると共に差込み片が帯状であるようにした場合には、差込み部と差込み片との構造を簡単なものにすることができ、製造を容易にすることが可能になり、延いてはインデックス片を備えたファイルの低コスト化を実現して汎用性の向上を図ることが可能になる。
【００１７】
また、本考案のファイルは、差込み片に印刷が施されるようにした場合には、種々の物・情景やキャラクタなどとして差込み片を形成することができ、ファイルを楽しく、可愛く、おしゃれでオリジナリティ豊かなものにすることが可能になり、延いてはファイルの付加価値の向上を図ることが可能になる。
【図面の簡単な説明】
【００１８】
【図１】本考案のファイルの実施形態の一例を示す図で、ファイルとして組み立てられる前の一枚のシート部材における各部の配置や構成を説明する図である。
【図２】図１の一枚のシート部材がファイルとして組み立てられた状態を示す図である。
【図３】図２のファイルの使用時における第一シートと第二シートとの繋止のされ方を説明する図である。（ａ）はファイルの初期状態を第二シート側からの斜視図として示す図である。（ｂ）は差込み片が第一の折れ目によって折り返され始めた状態を第二シート側からの斜視図として示す図である。（ｃ）は差込み片が差込み部に差し込まれた状態を第一シート側からの斜視図として示す図である。（ｄ）は差込み片が差込み部に差し込まれた状態を第二シート側からの斜視図として示す図である。
【図４Ａ】図２のファイルの使用時における差込み片が差込み部に差し込まれた状態を説明する図であり、第二シート側からの平面図として示す図である。
【図４Ｂ】図２のファイルの使用時における差込み片が差込み部に差し込まれた状態を説明する図であり、第一シート側からの平面図として示す図である。
【考案を実施するための形態】
【００１９】
以下、本考案の構成を図面に示す実施の形態の一例に基づいて詳細に説明する。
【００２０】
図１乃至図４に、本考案のファイルの実施形態の一例を示す。本実施形態のファイル１は、相互に対面配置された上で周縁の一部が封止されると共に残りが開放端とされる第一シート２及び第二シート３と、第一シート２に形成された差込み部９と、第二シート３に形成された第一の折れ目７とカット線５とによって囲まれて第二シート３の一部として形成されると共に第一の折れ目７よりも開放端から離れた位置に第二の折れ目６が形成された差込み片４とを有し、第二シート３の第一の折れ目７と第二の折れ目６との間の寸法が開放端と第一の折れ目７との間の寸法よりも大きく、且つ、第二シート３の差込み片４が第一の折れ目７と第二の折れ目６とにおいて折り返された状態で当該差込み片４の第二の折れ目６と先端との間の少なくとも一部が差し込まれ得る位置，形状，及び寸法に第一シート２の差込み部９が形成されるようにしている。
【００２１】
第一シート２及び第二シート３の材質は、特定のものに限定されるものではなく、ファイル１の用途などが考慮された上で適当なものが適宜選択される。あくまで一例として挙げると、具体的には例えば、ポリプロピレン樹脂やポリ塩化ビニルなどの樹脂や紙などが選択され得る。また、第一・第二シート２，３の厚みは、ファイル１の用途や材質などが考慮された上で、必要な強度が確保され得るように、また、以下において説明するようなファイル１の製造に必要とされる加工が行われ得る（言い換えると、施され得る）ように、適当な寸法に適宜設定される。なお、第一シート２及び第二シート３は、透明，半透明，及び不透明のうちのいずれでも良い。
【００２２】
第一シート２及び第二シート３の形状及び大きさは、特定の形や寸法に限定されるものではなく、ファイル１に収納されると想定される書類等の形状や大きさなどが考慮された上で適当や形や寸法に適宜設定される。具体的には例えば、国際標準規格のＡ列や日本工業規格のＢ列の各種用紙の大きさに合わせた形や寸法に設定され得る。
【００２３】
本実施形態では、図１に示すように全体として矩形の一枚のシート部材が中央位置の折り返し線１１に沿って折り返されて重ねられることにより、図２に示すようにどちらもが矩形である第一シート２と第二シート３とが相互に対面するように形成される。
【００２４】
折り返し線１１は第一シート２と第二シート３との境界として設けられ、折り返し線１１として例えば筋押し折り加工が施されるようにしても良い。
【００２５】
そして、折り重ねられた状態における第一シート２と第二シート３との、矩形を構成する四辺のうちの閉じられていない三辺のうちの一辺（図１及び図２に示す例では各図における下辺）においてこれら第一シート２と第二シート３とが相互に閉じ合わされて接合部１０が形成される。なお、図１における接合部１０は、第一シート２と第二シート３とが折り重ねられて図２に示すように形成される接合部１０を仮想的に図示したものである。
【００２６】
ここで、第一シート２と第二シート３とは各々別々のシート部材によって構成されるようにしても良く、この場合には、図１に示す折り返し線１１の箇所に該当する端辺同士も相互に接合されて閉じ合わされて封止端とされる。
【００２７】
また、図１及び図２に示す例で、図１における上端において第一シート２と第二シート３とが更に相互に接合されて閉じ合わされて封止端とされるようにしても良い（すなわち、矩形を構成する四辺のうちの三辺において第一シート２と第二シート３とが相互に接合されて閉じ合わされるようにしても良い）。
【００２８】
また、本考案では、第一シート及び第二シートの平面視において対向する部位がどちらも開放端にならないように、言い換えると、平面視において開放端と対向する部位は接合され閉じ合わされて封止端になるように、第一シート２と第二シート３との周縁に開放端と封止端とが形成されることが好ましい。
【００２９】
第一シート２と第二シート３との閉じ合わせ（言い換えると、接合，封止）の仕方は、特定の方法・手法に限定されるものではなく、必要とされる閉じ合わせ（接合，封止）の強度などが考慮された上で適当な方法・手法が適宜選択される。あくまで一例として挙げると、具体的には例えば、熱や超音波を利用した溶着や、接着剤を用いた接着などが選択され得る。
【００３０】
そして、第一シート２及び第二シート３の周縁のうちの一部が封止されると共に残りの一部は開放端とされ、これら第一シート２と第二シート３との間に、書類等が収納され得るポケットが形成される。
【００３１】
第一シート２に差込み部９が形成される。
【００３２】
本実施形態では、差込み部９は、開放端の端辺方向（図１に示す例では同図における上下方向）に平行なスリットと半円形の型抜き孔部とが合体した形状に形成される。
【００３３】
差込み部９は、第一シート２の、開放端と当該開放端と対向する封止端との中央位置よりも開放端寄りの位置に形成されることが好ましい。具体的には、対向する開放端と封止端との間の寸法をＬとすると、開放端からＬ／６からＬ／３までの範囲に形成されることが好ましい。
【００３４】
なお、差込み部９は、図１に示す例では細長孔状のスリットと当該スリットの折り返し線１１側に半円形の型抜き孔部とが合体した形状に形成されるようにしているが、この形状に限られるものではなく、半円形の型抜き孔部がない細長孔状のスリット型に形成されるようにしても良いし、単に線状に切断されたカット線として形成されるようにしても良い。
【００３５】
また、第二シート３に差込み片４が形成される。
【００３６】
差込み片４は、差込み部９に差し込まれることにより、ファイル１に挟み入れられて収納された書類等が開放端から滑り出ることを防止するように、開放端において第一シート２と第二シート３とを繋止するためのものである。
【００３７】
差込み片４は、第二シート３においてカット線５と第一の折れ目７とによって囲まれる領域として、すなわち、第二シート３の一部が利用されて当該第二シート３と一体に形成される。
【００３８】
本実施形態では、差込み片４は、開放端寄りの一辺を第一の折れ目７とすると共に残りの三辺をカット線５とする、開放端の端辺方向（図１に示す例では同図における上下方向）と直交する方向（図１に示す例では同図における左右方向）を長手方向とする長方形に形成され、使用時において帯状の態様を備えるものとして形成される。
【００３９】
ただし、差込み片４の形状は、長方形に限られるものではなく、例えば、開放端寄りの底辺を第一の折れ目７とすると共に残りの二辺をカット線５とする三角形でも良いし、開放端寄りの下底を第一の折れ目７とすると共に上底を含む残りの三辺をカット線５とする台形でも良いし、或いは、輪郭のうちの開放端寄りの一部を第一の折れ目７とすると共に残りの部分をカット線５とする種々の物・情景やキャラクタなどでも良い。そして、差込み片４の形状に合わせて、当該差込み片４に印刷が施されるようにしても良い。
【００４０】
そして、本考案のファイルでは、差込み片４の形状を種々多様なものにすることが可能であり、このことから、ファイルの付加価値の向上を図ることが可能であり、また、特に差込み片４に印刷を施した場合にはファイルを楽しく、可愛く、おしゃれでオリジナリティ豊かなものにしてファイルの付加価値の更なる向上を図ることが可能である。
【００４１】
カット線５は、使用開始前の状態においては第二シート３を完全には切断しておらず、例えばハーフカット線として形成され、使用開始の際に使用者が差込み片４部分を押し込むことによって千切られて第二シート３を完全に切断する類いのものであっても良い。
【００４２】
差込み片４の第一の折れ目７は、第二シート３の開放端の近傍位置に形成されることが好ましい。
【００４３】
第一の折れ目７として、例えば筋押し加工が施されるようにしても良い。また、差込み片４が第一の折れ目７において折れ曲がり易くするため、第一の折れ目７のうちの一部が完全に切断されているようにしても良い。
【００４４】
そして、差込み片４は、カット線５によって第二シート３から切り離された部位を自由周縁とすると共に第一の折れ目７において第二シート３と繋がっている部位を接続折縁としてファイル１の外方（言い換えると、第一シート２と離れる向き）に折り曲げられ（図３(ａ)及び(ｂ)）、さらに、第一シート２及び第二シート３の開放端を跨いで先端部分が第一シート２の外面側に回り込むように第二の折れ目６において折り返され、そして、先端部分が第一シート２の外面側から差込み部９に差し込まれる（図３(ｃ)及び(ｄ)並びに図４Ａ及び図４Ｂ）。
【００４５】
つまり、差込み片４は、当該差込み片４が第二シート３の一部として含まれている初期状態（言い換えると、第二シート３の一部として形成された差込み片４部分が押し出されたり折り曲げられたりされていない状態）から第一の折れ目７によって差込み部９とは反対向きに一旦折り返された後に第一シート２及び第二シート３の開放端を跨ぐように差込み部９に向けて更に折り返され、当該差込み片４の先端部分が差込み部９に差し込まれる。
【００４６】
そして、一般化すると、本考案では、差込み片４のうちの第二の折れ目６と先端との間の当該差込み片４の輪郭（言い換えると、外郭の境界）を形成するカット線５に隣接する周縁部の少なくとも一部（即ち、本実施形態のように長手方向における先端部分には限られない）が、差込み部９に差し込まれる。
【００４７】
差込み片４の第二の折れ目６は、第一の折れ目７と当該差込み片４の先端部分との間の位置に形成される。
【００４８】
第二の折れ目６として、例えば筋押し加工が施されるようにしても良い。また、差込み片４が第二の折れ目６において折れ曲がり易くするため、第二の折れ目６のうちの一部が完全に切断されているようにしても良い。
【００４９】
ここで、第一の折れ目７と第二の折れ目６との間の寸法が開放端と第一の折れ目７との間の寸法よりも大きく設定されることにより、第一の折れ目７と第二の折れ目６とにおいて折り返されて差込み片４の一部が差込み部９に差し込まれた状態において、差込み片４の第一の折れ目７と第二の折れ目６との間の領域の一部が第一シート２及び第二シート３の開放端よりも外方に突出する。
【００５０】
そして、差込み片４のうちの開放端から突出している部分が、インデックス片８として利用される。
【００５１】
インデックス片８には、見出し表記がし易いように、例えば、シールが貼られたり、紫外線硬化型インク等による特殊印刷が施されたりしても良い。
【００５２】
ここで、差込み部９の形状は上述のように種々のものが採用され得るところ、差込み片４と差込み部９との形状，寸法，及び位置は、差込み片４の少なくとも一部、具体的には、差込み片４のうちの第二の折れ目６と先端との間の当該差込み片４の輪郭（言い換えると、外郭の境界）を形成するカット線５に隣接する周縁部の少なくとも一部が差込み部９に差し込まれ得るように相互に適当に調整される。
【００５３】
本実施形態では、さらに、差込み片４に係止片１２が形成される。ただし、当該係止片１２は、本考案において必須の構成ではなく、必要に応じて適宜設けられる構成である。
【００５４】
係止片１２は、差込み片４のうちの差込み部９に差し込まれる部分の境界位置に、当該差込み片４の先端と反対向きに凸である半円形のカット線によって形成される。
【００５５】
そして、係止片１２は、差込み片４が第一シート２の外面側から差込み部９に差し込まれた際に、差込み片４が差し込まれる向きと反対向きに第一シート２と第二シート３との間へと進入して差込み部９に引っ掛けられる。
【００５６】
このように係止片１２が差込み部９に引っ掛けられて係止させられることにより、差込み片４が差込み部９から不意には抜け難くなり、開放端における第一シート２と第二シート３との繋止が一層確実なものになる。
【００５７】
なお、係止片１２の形状は、半円形に限られるものではなく、第一シート２と第二シート３との間へと進入して差込み部９に係止し得る種々の形が適宜選択される。
【００５８】
また、図１に示す例では差込み部９としてスリットに加えて半円形の型抜き孔部が設けられているため、当該半円形の型抜き孔部に指が掛けられるようになり、差込み片４が差込み部９へと差し込まれたり引き抜かれたりする操作が簡単に行われ得るようになり、特に、差込み片４の係止片１２が差込み部９へと引っ掛けられたり引っ掛けが解かれたりする操作が簡単に行われ得るようになる。
【００５９】
以上のように構成されたファイル１によれば、第二シート３の第一の折れ目７と第二の折れ目６との間の寸法が開放端と第一の折れ目７との間の寸法よりも大きいようにしているので、第一の折れ目７と第二の折れ目６とにおいて折り返された状態において差込み片４の二つの折れ目６，７の間の領域の一部を第一シート２及び第二シート３の開放端よりも外方に突出させることができ、当該突出させた部分にインデックスを表示して書類等の特に整理・保管におけるファイル利用の利便性の向上を図ることが可能になる。
【００６０】
以上のように構成されたファイル１によれば、さらに、第二シート３の差込み片４が第一の折れ目７と第二の折れ目６とにおいて折り返された状態で当該差込み片４の少なくとも一部が第一シート２の差込み部９に差し込まれ得るようにしているので、開放端において第一シート２と第二シート３とを強固に繋止してこれら二つのシートの間に挟み入れられて収納された書類等が滑り出てしまうことを確実に防止することが可能になり、延いては書類等の特に持ち運びにおけるファイル利用の利便性の向上を図ることが可能になる。
【００６１】
すなわち、本考案のファイルでは、差込み片４がインデックスを表示する機能と第一シート２と第二シート３とを繋止する機能とを併せ持つものとして構成される。
【００６２】
なお、上述の形態は本考案を実施する際の好適な形態の一例ではあるものの本考案の実施の形態が上述のものに限定されるものではなく、本考案の要旨を逸脱しない範囲において本考案は種々変形実施可能である。
【００６３】
例えば、上述の実施形態では差込み片４が第一シート２及び第二シート３の開放端を跨いで先端部分が第一シート２の外面側から差込み部９に差し込まれるようにしているが、これに限られず、差込み片４が第二シート３の開放端のみを跨いで先端部分が第一シート２と第二シート３との間へと進入して第一シート２の内面側から差込み部９に差し込まれるようにしても良い。なお、この場合には、差込み片４に形成された係止片１２は、差込み片４が第一シート２と第二シート３との間から（即ち、第一シート２の内面側から）差込み部９に差し込まれた際に、差込み片４が差し込まれる向きと反対向きに第一シート２の外面側へと露出して（言い換えると、突き出て）差込み部９に引っ掛けられる。
【００６４】
また、上述の実施形態では差込み片４と差込み部９との組み合わせによる繋止の仕組みが一組のみ備えられるようにしているが、これに限られず、差込み片４と差込み部９との組み合わせによる繋止の仕組みが複数組備えられるようにしても良い。
【００６５】
また、上述の実施形態では差込み片４と差込み部９との組み合わせによる繋止の仕組みが矩形である第一シート２及び第二シート３の開放端になっている長辺と短辺との二辺のうちの長辺に対して設けられるようにしているが、これに限られず、第一シート及び第二シートが矩形である場合に、差込み片４と差込み部９との組み合わせによる繋止の仕組みが、開放端になっている短辺に対して設けられるようにしても良いし、開放端になっている長辺と短辺との両方に備えられるようにしても良い。
【符号の説明】
【００６６】
１  ファイル
２  第一シート
３  第二シート
４  差込み片
５  カット線
６  第二の折れ目
７  第一の折れ目
８  インデックス片
９  差込み部
１０  接合部
１１  折り返し線
１２  係止片
【図１】
0003199235.tif 000003
【図２】
0003199235.tif 000004
【図３】
0003199235.tif 000005
【図４Ａ】
0003199235.tif 000006
【図４Ｂ】
0003199235.tif 000007